(57)【要約】      （修正有）【課題】簡易に構成でき、手軽に手品を楽しむことができる手品用具を提供する。【解決手段】手品用具１は、開口部２を有し、液体３を貯留する容器本体４と、開口部に着脱自在に設けられ、開口部を閉塞する蓋部材５と、容器本体に設けられ、容器本体の内部に貯留された液体を容器本体の外部に導出する導出管であって、容器本体の内部に配置される第１端部６Ａと容器本体の外部に配置される第２端部６Ｂとを有し、第２端部が第１端部よりも下方に位置する導出管と、蓋部材に連通穴７を設け、さらに、容器本体にも連通穴８を設けて、容器本体の内部と外部とを連通している。手品の実演者は、連通穴７又は８の開閉動作を観者に気付かれないように行うことで、第２端部からの液体の流れをサイフォンの原理によりオン・オフ制御し、液体の流れが変化する過程を観者に見せることができる。【選択図】図３
0003210203.tif 000002
【実用新案登録請求の範囲】
【請求項１】
開口部を有し、液体を貯留する容器本体と、
前記開口部に着脱自在に設けられ、該開口部を閉塞する蓋部材と、
前記容器本体に設けられ、該容器本体の内部に貯留された前記液体を該容器本体の外部に導出する導出管であって、該容器本体の内部に配置される第１端部と該容器本体の外部に配置される第２端部とを有し、該第２端部が該第１端部よりも下方に位置する導出管と、
前記蓋部材及び前記容器本体に設けられ、該容器本体の内部と外部とを連通する連通穴と、を備える手品用具。
【考案の詳細な説明】
【技術分野】
【０００１】
本考案は、容器内部の空気圧力の変化及びサイフォンの原理を利用した手品用具に関する。
【背景技術】
【０００２】
従来より、サイフォンの原理を利用して手品的な実験を行うことができるサイフォンコップが提供されている（例えば、特許文献１参照）。
【０００３】
このサイフォンコップは、一端が閉じた底面と他端に開口部を備えたコップ状容器の内部において、両端が開口した排水管の開口下端をコップの底面から外部に貫通して排水口とし、上端側をコップよりも低くして排水管をコップ内部に一体成形して構成されたものである。また、このサイフォンコップは、上端部が閉ざされると共に開口下端に取水口を設けた取水管を備える。この取水管は、前記排水管よりも大径加工され、該排水管に覆い被せる構成となっている。
【０００４】
このような構成としたことにより、特許文献１に記載の従来技術は、サイフォンの原理を利用した、ユニークで遊具的な実験教材を提供することができるとしている。
【先行技術文献】
【特許文献】
【０００５】
【特許文献１】特開２００９−６９７１９号公報
【考案の概要】
【考案が解決しようとする課題】
【０００６】
しかし、上記特許文献１に記載の従来技術は、排水管をコップ内部の底面から立ち上げて設けなければならなかった。また、この配水管を補強すると共に取水管の位置決めをする補強リブを設けなければならなかった。そのため、上記特許文献１に記載の従来技術は、複雑な構成となっていた。
【０００７】
また、上記特許文献１に記載の従来技術は、上述のように複雑な構成となっているため、生産性を上げるには、排水管や補強リブ等をプラスチック素材で成形加工する必要があった。
【０００８】
そのため、上記特許文献１に記載の従来技術は、専用のコップ（専用容器）を製造しなければならず、例えば、ペットボトルやガラスボトルなどの既存の汎用容器を利用して構成することは困難であった。これは、資源を大切にし地球環境を保護する観点からも好ましいこととは言えず、また、汎用容器を利用して手軽に手品を楽しみたいというユーザーの期待に応えることも困難であった。
【０００９】
本考案は、きわめて簡易に構成でき、手軽に手品を楽しむことができる手品用具を提供することを目的とする。
【００１０】
また、本考案は、汎用容器を利用して容易に構成することができ、手軽に手品を楽しむことができる手品用具を提供することを目的とする。
【課題を解決するための手段】
【００１１】
本考案は、開口部を有し、液体を貯留する容器本体と、前記開口部に着脱自在に設けられ、該開口部を閉塞する蓋部材と、前記容器本体に設けられ、該容器本体の内部に貯留された前記液体を該容器本体の外部に導出する導出管であって、該容器本体の内部に配置される第１端部と該容器本体の外部に配置される第２端部とを有し、該第２端部が該第１端部よりも下方に位置する導出管と、蓋部材及び容器本体に設けられ、該容器本体の内部と外部とを連通する連通穴と、を備える手品用具に関する。
【考案の効果】
【００１２】
本考案によれば、きわめて簡易に構成でき、手軽に手品を楽しむことができる手品用具を提供することができる。
【００１３】
また、本考案によれば、汎用容器を利用して容易に構成することができ、手軽に手品を楽しむことができる手品用具を提供することができる。
【図面の簡単な説明】
【００１４】
【図１】本考案の手品用具の断面図
【図２】ペットボトルの構成図
【図３】本考案の手品用具の使用説明図
【図４】本考案の蓋部材の連通穴に指を触れた時の手品用具の使用説明図
【図５】本考案の蓋部材の連通穴から指を離した時の手品用具の使用説明図
【図６】本考案の斜面の連通穴を使う手品用具の使用説明図
【図７】本考案の斜面の連通穴に指を触れた時の手品用具の使用説明図
【図８】本考案の斜面の連通穴から指を離した時の手品用具の使用説明図
【考案を実施するための形態】
【００１５】
図１は、本考案の手品用具の断面図である。図１を参照しながら説明する。図１に示すように、開口部２を有し、液体３を貯留する容器本体４と、開口部２を閉塞する蓋部材５と、容器本体４に設けられ、容器本体４の内部に貯留された液体３を容器本体４の外部に導出する導出管６と、蓋部材５に設けられる連通穴７と、容器本体４の斜面９に設けられる連通穴８と、を備える。
【００１６】
容器本体４は、後述する液体３を貯留するための容器であり、上部に小径の開口部２を有し、有底の筒状に構成されている。この容器本体４には、例えば、透明の合成樹脂により成形されたペットボトルを用いて構成することができる。
【００１７】
容器本体４上部の開口部２の近傍は、円筒状に形成されており、その周縁部には、後述する蓋部材５の被係合部（図示せず）と係合する係合部（図示せず）を有する。蓋部材５を容器本体４に取り付けた際に、この係合部及び被係合部によって水密性（気密性）が担保される。
【００１８】
蓋部材５は、有底円筒状に形成され、開口部２に着脱自在に設けられる。蓋部材５の内面には、容器本体４の前記係合部（図示せず）と係合する被係合部（図示せず）が形成されている。容器本体４が上記ペットボトルにて構成されている場合には、この蓋部材５には、例えば、上記ペットボトルに付属している蓋部材を用いて構成することができる。
【００１９】
また、蓋部材５の中心には、貫通穴である連通穴７が設けられている。この連通穴７は、蓋部材５を容器本体４に取り付けた際に、連通穴７を塞いで容器本体４の空気１４の圧力を下げて、第２端部６Ｂからの液体３の導出（排水）を止めたり、連通穴７を開放して、空気１４の圧力を上げて、第２端部６Ｂからの液体３の導出（排水）をする為に設けている。
【００２０】
さらに、容器本体４の斜面９にも、貫通穴である連通穴８が設けられている。この連通穴８は、連通穴８を塞いで容器本体４の空気１４の圧力を下げて、第２端部６Ｂからの液体３の導出（排水）を止めたり、連通穴８を開放して、空気１４の圧力を上げて、第２端部６Ｂからの液体３の導出（排水）をする為に設けている。
【００２１】
液体３には、例えば、無色又は着色された水を用いることができるが、これに限定されず、清涼飲料やアルコール飲料など、手品を披露する環境に応じて適宜選択した液体を用いることができる。
【００２２】
導出管６は、中空のパイプないしチューブによりほぼ逆Ｕ字状に形成され、容器本体４の内部の底１１近くに配置される第１端部６Ａと容器本体４の外部に配置される第２端部６Ｂとを有する。また、導出管６は、逆Ｕ字型の導出管６の頂上部１０の外周が容器本体４の斜面９に密着させて貫通固定され、容器本体４から外部に突出して側面１９に沿って、第１端部６Ａよりも下方の容器本体４の底１１よりも下へ延ばしている。
なお、この導出管６と容器本体４との固定手段は、導出管６の材質及び容器本体４の材質に応じて、ゴムパッキン１２、接着及び溶着など適宜の手段を採用し、液体漏れのないようにする。
【００２３】
導出管６には、例えば、銅やステンレスなどの金属製のパイプや、透明又は不透明の合成樹脂製のチューブ、可撓性を有し任意の形状を保持可能な金属製又は合成樹脂製のフレキシブルチューブなどを用いることができる。導出管６の内径及び外径、長さ、剛性の程度、可撓性の有無などは、手品を披露する環境（例えば、液体３の種類や導出量、導出場所など）に応じて適宜決定される。
【００２４】
図２は、ペットボトルの構成図である。図２を参照しながら説明する。図２に示すように、ペットボトルは、容器本体４と連通穴ない蓋１３で構成されていて、ペットボトルは、蓋１３を閉めることにより、容器本体４と蓋１３は、密着して、ペットボトル内部の液体が漏れない構造になっている。
例えば、透明の合成樹脂により成形されたペットボトルの構成と同じであるので、ペットボトルを手品用具１として使用することができる。
【００２５】
図３は、本考案の手品用具の使用説明図である。
図３を参照しながら説明する。図３に示すように、最初に連通穴８を透明なテープ１５で空気が漏れないように塞ぎます。
そして、手品の実演者（図示せず。以下同様）は、導出管６の第１端部６Ａが液体３に浸かるように、所定量の液体３を開口部２から容器本体４に入れて液体３の位置を高水位Ｈまで貯留する。そして、蓋部材５によって開口部２を閉塞する。
【００２６】
次に、手品の実演者は、連通穴７を開放した状態で容器本体４を傾けるなどして液体３を第１端部６Ａから導出管６内部に導入し、第１端部６Ａらか第２端部６Ｂまでを液体３で満たすとサイフォンの原理により、第２端部６Ｂから、液体３が流出（排水）する。
なお、液受け容器１６は、導出管６の第２端部６Ｂから導出（排出）される液体３を貯留するためのものであり、必要に応じて配置される。
【００２７】
図４は、本考案の蓋部材の連通穴に指を触れた時の手品用具の使用説明図である。
図４を参照しながら説明する。図４に示すように、連通管８を透明なテープ１５で塞いでいる状態に於いて、液体３の導出（排水）の最中に、連通穴７を指１７などで押さえて閉塞すると、容器本体４密封され、容器本体４の内部の空気１４は、配管の第２端部６Ｂからの流出により、容器本体４内部の下方へ引っぱられて、空気１４の圧力が低下する。そして、圧力の低下した空気１４が、容器本体４内部の上方の矢印方向へ引っぱって、導出管６の第２端部６Ｂからの液体３の流出が止まる。この手品は、サイフォンの原理、空気圧力低下及び引力を利用している。
また、連通穴７に、指１７を触れたり、離したりするタイミングに注意する必要があり、指でおよそ８秒間以上触れていると密封状態が解除されて、導出管６内の液体が逆流又は流失してしまい、導出管６内は、空洞になり手品は失敗するので注意が必要である。
【００２８】
図５は、本考案の蓋部材の連通穴から指を離した時の手品用具の使用説明図である。
図５を参照しながら説明する．図５に示すように、連通穴８を透明なテープ１５で塞いでいる状態に於いて、手品の実演者が連通穴７から指１７を離して連通穴７を開放すると、空気の流れ１８は、矢印方向の連通穴７から容器本体４入って、容器本体４内部の空気の圧力は上がり、空気による液体３の引っ張りは解除されて、導入管６の第２端部６Ｂから、再び液体３が流出する。この手品は、空気圧力の上昇及びサイフォンの原理を利用している。
以上のように、サイフォンの原理により、容器本体４の液体３が第１端部６Ａから導出管６の内部に導入され、第２端部６Ｂから導出（排出）される。図４で示すように、再度、実演者が連通穴７を指１７で閉塞すると、第２端部６Ｂからの液体３の導出（排出）は停止する。指１７で、連通穴７を塞いだり、開放したりを繰り返し実演して、液体３の導出（排出）は、導出管６の第１端部６Ａが液体３の液面から露出するまで行うことにより、容器本体４は、図５で示すように、液体３は低水位Ｌになり、殆ど空になる。
【００２９】
図６は、本考案の斜面の連通穴を使う手品用具の使用説図である。
図６を参照しながら説明する。図６に示すように、手品の実演者（図示せず。以下同様）は、導出管６の第１端部６Ａが液体３に浸かるように、所定量の液体３を開口部２から容器本体４に入れて液体３の位置を連通穴８の下方の液面上限位置のＨの高さまで貯留する。空になった容器本体４に液体３を注ぐ為、蓋部材５を外して液体３を注いで貯蔵する。そして、観者に分からないように、連通穴７のある蓋部材５を、連通穴のない蓋１３とすり替えて、連通穴のない蓋１３を閉めて、手品用具を密閉状態にした後に、すぐに、連通穴８を塞いでいる透明なテープを剥がして、連通穴を開放します。
【００３０】
次に、手品の実演者は、透明なテープを剥がしたことにより、連通穴８を開放した状態で容器本体４を傾けるなどして液体３を第１端部６Ａから導出管６内部に導入し、第１端部６Ａから第２端部６Ｂまでを液体３で満たすとサイフォンの原理により、第２端部６Ｂから、液体３が流出（排水）する。
【００３１】
図７は、本考案の斜面の連通穴に指を触れた時の手品用具の使用説明図である。
図７を参照しながら説明する。図７に示すように、
導出（排水）の最中に、連通穴８を指１７などで押さえて閉塞すると、蓋１３は、連通穴がないので、容器本体４密封され、容器本体の内部の空気１４は、配管の第２端部６Ｂからの流出により、容器本体４内部の下方へ引っぱられて、空気１４の圧力が低下する。そして、圧力の低下した空気１４が、容器本体４内部の上方の矢印方向へ引っぱって、第２端部６Ｂからの液体３の流出が止まる。この手品は、サイフォンの原理、空気圧力低下及び引力を利用している。
【００３２】
図８は、本考案の斜面の連通穴から指を離した時の手品用具の使用説明図である。
図８を参照しながら説明する。図８に示すように、手品の実演者が連通穴８から指１７を離して連通穴８を開放すると、空気の流れ１８は、矢印方向の連通穴８から容器本体４へ入って、容器本体４内部の空気の圧力は上がり、空気による液体３の引っ張りは解除されて、第２端部６Ｂから、再び液体３が流出する。この手品は、空気圧力の上昇及びサイフォンの原理を利用している。
連通穴８に指１７を触れて液体３の流出を止めたり、指１７を離して液体３の流出をしたりを繰り返す手品用具１であり、連通穴８に、指１７を触れたり、離したりするタイミングに注意する必要がある。
以上のように、サイフォンの原理により、容器本体４の液体３が第１端部６Ａから導出管６の内部に導入され、第２端部６Ｂから導出（排出）される。この排出された液体３は、液受け容器に貯留される。手品の実演者が連通穴８を指１７などで押さえて閉塞すると、第２端部６Ｂからの液体３の導出（排出）は停止する。そして、液体３の導出（排出）は、導出管６の第１端部６Ａが液体３の液面から露出するまで行って容器本体４は、殆ど空の低水位Ｌになる。
【００３３】
このように手品の実演者が連通穴７又は８を指で開閉することにより、電動ポンプなどの駆動源を用いることなく、第２端部６Ｂからの液体３の流れを容易にオン・オフ制御することができる。すなわち、手品の実演者は、この連通穴７又は８の開閉動作を観者に気付かれないようにさり気なく行うことで、第２端部６Ｂからの液体３の流れをオン・オフ制御し、液体３の流れが変化する過程を観者に見せることができる。これにより、手品の実演者は、観者に不思議な感覚を提供し、観者を楽しませることができる。
【００３４】
なお、手品の実演者は、巧みな話術やジェスチャーなどを交えながら、連通穴７又は８の開閉動作を観者に気付かれないようにさり気なく行うことが肝要である。そのため、連通穴７又は８の開閉動作の際に、例えば、電池駆動で四肢を動かしたり音声を発することができるぬいぐるみ人形（図示せず）などを動作させることによって、観者の注意を効果的にそらし、連通穴７又は８の開閉動作を観者に気付かれないように行うことができる。
実演者は、連通穴７又は８に、指を触れたり、離したりするタイミングに注意する必要があり、指でおよそ８秒間以上触れていると密封状態が解除されて、連出管内の液体が逆流又は流失してしまい、連出管内は、空洞になり手品は失敗するので注意が必要である。
【符号の説明】
【００３５】
１  手品用具
２  開口部
３  液体
４  容器本体
５  蓋部材
６  導出管
６Ａ  第１端部
６Ｂ  第２端部
７  連通穴
８  連通穴
９    斜面
１０  頂上部
１１  底
１２  ゴムパッキン
１３  蓋（連通穴なし）
１４  空気
１５  透明なテープ
１６  受け皿
１７  指
１８  空気の流れ
１９  側面
Ｈ  高水位
Ｌ  低水位
【図１】
0003210203.tif 000003
【図２】
0003210203.tif 000004
【図３】
0003210203.tif 000005
【図４】
0003210203.tif 000006
【図５】
0003210203.tif 000007
【図６】
0003210203.tif 000008
【図７】
0003210203.tif 000009
【図８】
0003210203.tif 000010